(57)【特許請求の範囲】
【請求項１】
ユーザ端末機器（ＵＥ）であって、
少なくとも１つのアンテナと、
少なくとも１つの無線アクセス技術（ＲＡＴ）を用いてセルラ通信を実行するように構成された少なくとも１つの無線器と、
前記少なくとも１つの無線器に接続された１つ以上のプロセッサと、
を有し、
前記１つ以上のプロセッサと前記少なくとも１つの無線器は音声とデータとの少なくともいずれかの通信を実行するように構成され、
前記１つ以上のプロセッサと前記少なくとも１つの無線器は、
基地局から上りリンクグラントを受信し、
第１の冗長バージョンの第１の情報を前記基地局へ送信し、
前記第１の冗長バージョンの第１の情報の前記送信の後に、前記ＵＥを特定の時間区間の間に送信を行わないように設定する低電力状態へ入り、
前記第１の冗長バージョンの前記送信の後に、前記基地局から第１の否定応答（ＮＡＣＫ）を受信し、
前記基地局から第２のＮＡＣＫを受信し、
前記低電力状態を脱し、
前記第２のＮＡＣＫの前記受信に応答して、第２の冗長バージョンの第１の情報を前記基地局へ送信し、
前記第２の冗長バージョンの第１の情報の前記送信の後に前記低電力状態へと再度入る、
ように構成される、
ことを特徴とするユーザ端末機器。
【請求項２】
前記特定の時間区間は、前記ＵＥが前記低電力状態を維持する上りリンク送信の数と複合自動再送要求（ＨＡＲＱ）のラウンドトリップタイムとに基づく、前記ＵＥのデューティサイクルに対応する、
ことを特徴とする請求項１に記載のユーザ端末機器。
【請求項３】
前記低電力状態は、不連続送信（ＤＴＸ）サイクルである、
ことを特徴とする請求項１に記載のユーザ端末機器。
【請求項４】
前記基地局から受信される前記上りリンクグラントは、周期的な上りリンクグラントを指定する情報を含み、
前記上りリンクグラントの周期は、バンドルサイズと、周期Ｘｍｓとに基づく、
ことを特徴とする請求項１に記載のユーザ端末機器。
【請求項５】
前記バンドルサイズは、前記基地局へ送信される第１の情報の複数の冗長バージョンの数を特定する、
ことを特徴とする請求項４に記載のユーザ端末機器。
【請求項６】
Ｘｍｓは、前記第１の情報の複数の冗長バージョンの送信の周期である、
ことを特徴とする請求項４に記載のユーザ端末機器。
【請求項７】
前記１つ以上のプロセッサと前記少なくとも１つの無線器は、さらに、
前記基地局へ、前記ＵＥはピーク電流が制限されていることを示す表示を送信する、
ように構成され、ここで、前記表示は無線リソース制御メッセージに含まれる、
ことを特徴とする請求項１に記載のユーザ端末機器。
【請求項８】
メモリと、
前記メモリと通信する処理エレメントとを有し、
前記処理エレメントは、
基地局から上りリンクグラントを受信し、
前記基地局へ第１の冗長バージョンの第１の情報を送信するための命令を生成し、
前記第１の冗長バージョンの第１の情報の前記送信の後に、送信が発生しない特定の時間区間と関連付けられる低電力状態へ入るための命令を生成し、
前記第１の冗長バージョンの前記送信の後に前記基地局から第１の否定応答（ＮＡＣＫ）を受信し、
前記基地局から第２のＮＡＣＫを受信し、
前記低電力状態を脱するための命令を生成し、
前記第２のＮＡＣＫの前記受信に応答して、前記基地局へ第２の冗長バージョンの第１の情報を送信するための命令を生成し、
前記第２の冗長バージョンの第１の情報の前記送信の後に前記低電力状態へ再度入るための命令を生成する、
ように構成される、
ことを特徴とする装置。
【請求項９】
前記特定の時間区間は、前記低電力状態の間に生じる上りリンク送信の数と複合自動再送要求（ＨＡＲＱ）のラウンドトリップタイムとに基づく、送信デューティサイクルに対応する、
ことを特徴とする請求項８に記載の装置。
【請求項１０】
前記低電力状態は不連続送信（ＤＴＸ）サイクルである、
ことを特徴とする請求項８に記載の装置。
【請求項１１】
前記基地局から受信される前記上りリンクグラントは周期的な上りリンクグラントを指定する情報を含み、
前記上りリンクグラントの周期は、バンドルサイズと、周期Ｘｍｓとに基づく、
ことを特徴とする請求項８に記載の装置。
【請求項１２】
前記バンドルサイズは、前記基地局へ送信される第１の情報の複数の冗長バージョンの数を特定する、
ことを特徴とする請求項１１に記載の装置。
【請求項１３】
Ｘｍｓは、第１の情報の複数の冗長バージョンの送信の周期である、
ことを特徴とする請求項１１に記載の装置。
【請求項１４】
前記処理エレメントは、さらに、
前記基地局へ、送信はピーク電流が制限されていることを示す表示を送信するための命令を生成する、
ように構成され、ここで、前記表示は無線リソース制御メッセージに含まれる、
ことを特徴とする請求項８に記載の装置。
【請求項１５】
ユーザ端末（ＵＥ）のプロセッサによって実行可能なプログラムであって、
基地局から上りリンクグラントを受信し、
前記基地局へ第１の冗長バージョンの第１の情報を送信し、
前記第１の冗長バージョンの第１の情報の前記送信の後に、前記ＵＥを特定の時間区間の間に送信を行わないように設定する低電力状態へ入り、
前記第１の冗長バージョンの前記送信の後に、前記基地局から第１の否定応答（ＮＡＣＫ）を受信し、
前記基地局から第２のＮＡＣＫを受信し、
前記低電力状態を脱し、
前記第２のＮＡＣＫの前記受信に応答して、第２の冗長バージョンの第１の情報を前記基地局へ送信し、
前記第２の冗長バージョンの第１の情報の前記送信の後に、前記低電力状態に再度入る、
ためのプログラム。
【請求項１６】
前記特定の時間区間は、前記ＵＥが前記低電力状態を維持する上りリンク送信の数と複合自動再送要求（ＨＡＲＱ）のラウンドトリップタイムとに基づく、前記ＵＥのデューティサイクルに対応する、
ことを特徴とする請求項１５に記載のプログラム。
【請求項１７】
前記低電力状態は、不連続送信（ＤＴＸ）サイクルである、
ことを特徴とする請求項１５に記載のプログラム。
【請求項１８】
前記基地局から受信される前記上りリンクグラントは、周期的上りリンクグラントを指定する情報を含み、
前記上りリンクグラントの周期は、バンドルサイズと周期Ｘｍｓとに基づく、
ことを特徴とする請求項１５に記載のプログラム。
【請求項１９】
前記バンドルサイズは、前記基地局へ送信される第１の情報の複数の冗長バージョンの数を特定する、
ことを特徴とする請求項１８に記載のプログラム。
【請求項２０】
前記周期Ｘｍｓは、第１の情報の複数の冗長バージョンの送信の周期である、
ことを特徴とする請求項１８に記載のプログラム。
【発明の詳細な説明】
【技術分野】
【０００１】
本出願は、無線通信に関し、より具体的には、ＬＴＥなどの、無線アクセス技術において不連続かつ周期的な物理上りリンク共有チャネル（ＰＵＳＣＨ）伝送を実行することに関する。
【背景技術】
【０００２】
無線通信システムの利用が急速に広がっている。そして、数多くの異なる無線通信技術及び標準が存在する。無線通信標準の一部の例として、ＧＳＭ、ＵＭＴＳ（ＷＣＤＭＡ、ＴＤＳ−ＣＤＭＡ）、ＬＴＥ、ＬＴＥアドバンスド（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉＦｉ）、ＩＥＥＥ８０２．１６（ＷｉＭＡＸ）、ブルートゥースなどが含まれる。
【０００３】
ＬＴＥなどのセルラ無線アクセス技術（ＲＡＴ）では、ユーザ端末（ＵＥ）は、スケジューリング要求（ＳＲ）を用いて上りリンク（ＵＬ）リソースを要求する。ｅＮＢ（基地局）は、ＳＲに応答して、ＵＬグラントを用いてＵＥへＵＬリソースを割り当てる。ｅＮＢは、ＵＥに対して、サブフレームごとにリソースを割り当てることができる。ＵＥは、ＵＬグラントを受信した後に、物理上りリンク共有チャネル（ＰＵＳＣＨ）でｅＮＢへデータを送信することができる。
【０００４】
複合自動再送要求（ＨＡＲＱ）は、破損したメッセージを検出して、送信者からの新しいメッセージを要求するための、受信機によって用いられる技術である。ＬＴＥでは、ＵＬのＨＡＲＱは同期しており、すなわち、ｔ＝０においてＵＥが最初の送信のためのＵＬグラントを受信した場合、ＰＵＳＣＨにおけるＵＬ伝送はｔ＝４において生じ、ＡＣＫ／ＮＡＣＫのフィードバックはｔ＝８において生じ、そして、ＨＡＲＱの再送はｔ＝１２に発生する。ＵＥは、グラントを得るために、スケジューリング要求（ＳＲ）を（例えばｔ＝０において）ｅＮＢへ送信し、ｅＮＢはｔ≧４においてＰＤＣＣＨでＵＬグラントを送信する。
【発明の概要】
【発明が解決しようとする課題】
【０００５】
ピーク電流が制限されている機器（すなわち、限定的なバッテリと限定的な電力増幅能力との少なくともいずれかを有する機器）は、ＵＬにおいて連続的に送信することはできず、例えば、低いデューティサイクルにおいてのみ送信することができる。例えば、ピーク電流が制限された機器は、１つのサブフレームの間に送信することができ、その後、次の９サブフレーム間はサイレントであり続けうる。このように、１つの一般的な例として、そのような機器は、ＬＴＥの無線フレームごとに１つのサブフレームにおいてのみ送信することができる。この場合のデューティサイクルは１０％である。
【０００６】
そのようなシナリオにおいてＵＬ伝送を可能とし、ＵＥが、ＵＬタイムラインを乱すことなく、ＵＬにおいてそれでも送信することができることを確実にするための機構が求められている。したがって、本分野における改善が望まれる。
【課題を解決するための手段】
【０００７】
ここでは、とりわけ、ピーク電流が制限されているＵＥがＵＬタイムラインと調和するＵＬ伝送を実行することを可能とする、ユーザ端末（ＵＥ）、基地局（ｅＮＢ）、及び改善された通信方法を示す。また、ピーク電流が制限されているＵＥが新しい形式の上りリンク通信性能の改善のための分散ＴＴＩ（送信時間間隔）バンドリングを利用することを可能とする実施形態が示される。ＴＴＩバンドリング処理におけるバンドルサイズの動的決定を可能とする実施形態がさらに提供される。
【０００８】
いくつかの実施形態は、少なくとも１つのアンテナ、少なくとも１つの無線器、及び無線器と接続される１つ以上のプロセッサを有するユーザ端末機器（ＵＥ）に関する。少なくとも１つの無線器は、少なくとも１つの無線アクセス技術（ＲＡＴ）を用いてセルラ通信を実行するように構成される。１つ以上のプロセッサと少なくとも１つの無線器は、音声とデータとの少なくともいずれかの通信、及び、ここで説明される方法を実行するように構成される。
【０００９】
いくつかの実施形態では、ＵＥは、スケジューリング要求（ＳＲ）を基地局へ送信して上りリンクのリソースを要求し、返信として、基地局から上りリンクのグラントを受信するように構成される。その後、ＵＥは、「分散型」ＴＴＩバンドリングを用いて、基地局に情報を送信しうる。すなわち、ＵＥは、第１の情報の複数の冗長なバージョンを、連続していない（または隣接していない）サブフレームにおいて、Ｘｍｓの周期で、基地局へ送信しうる。第１の情報の複数の冗長なバージョンが基地局へ送信された後に、基地局は、単一の確認応答／否定応答（ＡＣＫ／ＮＡＣＫ）をＵＥへ提供しうる（すなわち、ＵＥは、隣接していない冗長なバージョンの全てを送信した後に、基地局から単一のＡＣＫ／ＮＡＣＫを受信する）。
【００１０】
周期値Ｘｍｓは、複合自動再送要求（ＨＡＲＱ）のラウンドトリップタイム（ＲＴＴ）でありうる。代わりに、周期Ｘｍｓの値は、ＵＥのピーク電流の制限に対応してもよく、ここで、ピーク電流の制限は、制限されたバッテリと制限された電力増幅能力との少なくともいずれかのことであってもよい。
【００１１】
基地局は、ＵＥが使用するためのバンドルサイズを動的に決定するように構成されてもよく、動的に決定されたバンドルサイズは、通常の又は分散されたＴＴＩバンドリングにおいて用いられうる。基地局は、ＵＥと基地局との間の通信のための上りリンクチャネルの品質を示す情報をＵＥから受信しうる。また、基地局は、ＵＥの電力特性（例えば、ＵＥのピーク電流の制限）を示す情報をＵＥから受信してもよい。そして、基地局は、上りリンクチャネル品質を示す情報とＵＥの電力特性を示す情報との少なくともいずれかに基づいて、ＴＴＩバンドリングのためのバンドルサイズを動的に決定しうる。代わりに、基地局は、上りリンクのチャネルの品質とＵＥの電力特性との少なくともいずれかに基づいて、同様に動的に決定されうるｍａｘＨＡＲＱ−Ｔｘパラメータに基づいて、バンドルサイズ情報を動的に決定してもよい。基地局は、その後、ＵＥにバンドルサイズを送信してもよく、動的に決定されたバンドルサイズは、（通常の又は分散型の）ＴＴＩバンドリングを用いる上りリンク伝送のために、ＵＥによって使用される。基地局は、要求に従って、各通信セッションのためにバンドルサイズを動的に決定（又は動的に調整）してもよいし、単一の通信セッションの間にバンドルサイズを複数回動的に決定してもよい。
【００１２】
したがって、ＵＥは、基地局からのこの動的に生成されたバンドルサイズの情報を受信することができ、ここで、バンドルサイズの情報は、上述のように上りリンクのチャネルの品質とＵＥの電力特性との少なくともいずれかに基づいて基地局によって動的に決定される。そして、ＵＥは、第１の情報の冗長バージョンのバンドルを基地局へ送信することができ、ここで、冗長バージョンの数は、動的に生成されたバンドルサイズ情報に基づく。冗長バージョンのバンドルは、連続するサブフレーム（通常のＴＴＩバンドリング）又は不連続なサブフレーム（分散ＴＴＩバンドリング）において送信されうる。いずれの例においても、ＵＥは、第１の情報の複数の異なる冗長バージョンを基地局へ送信した後に、基地局から単一の確認応答／否定応答（ＡＣＫ／ＮＡＣＫ）のみを受信しうる。
【００１３】
基地局から受信した上りリンクグラントは、周期的な上りリンクグラントを指定する持続性の上りリンクグラントのタイプでありうる。上りリンクグラントの周期は、基地局へ送信される第１の情報の複数の冗長バージョンの数を特定するバンドルサイズと、第１の情報の複数の冗長バージョンの送信の周期である周期Ｘｍｓとに基づきうる。いくつかの実施形態では、上りリンクグラントの周期は、バンドルサイズに周期Ｘｍｓを乗じたものに基づく。
【００１４】
いくつかの実施形態では、ＵＥは、スケジューリング要求と同一のサブフレームにおいて、揃えて、サウンディング参照信号（ＳＲＳ）を送信するように構成される。スケジューリング要求とサウンディング参照信号とのデューティサイクルは、分散型のＴＴＩバンドリング伝送のデューティサイクル以下でありうる。ＳＲＳは、ＵＥと基地局との間の上りリンクのチャネルの品質を推定するために、基地局によって使用されうる。
【００１５】
本概要は、本書面で説明される主題の一部の概要を提供することを目的としたものである。したがって、上述の特徴は単なる例であり、ここで説明される主題の範囲または精神をいかなる方法によっても狭めるように解釈されるべきではないことが理解されよう。ここで説明される主題の他の特徴、態様、及び利点は、以下の詳細な説明、図面及び特許請求の範囲から明らかになるだろう。
【００１６】
以下の図面と併せて実施形態の以下の詳細な説明を検討するときに、示される主題のよりよい理解を得ることができる。
【図面の簡単な説明】
【００１７】
【図１】いくつかの実施形態による、例示の無線通信システムを示す図。
【図２】いくつかの実施形態による、無線機器と通信する基地局（「ＢＳ」、ＬＴＥの文脈において「ｅＮｏｄＢ」又は「ｅＮＢ」）を示す図。
【図３】いくつかの実施形態による、無線通信システムの１つの可能な実装のためのブロック図。
【図４】いくつかの実施形態による、例示の基地局のためのブロック図。
【図５】先行技術による、従来のＴＴＩバンドリングを示す図。
【図６】いくつかの実施形態による、ＴＴＩバンドリングを実行するための方法を示す図。
【図７】いくつかの実施形態による、分散型ＴＴＩバンドリングの例を示す図。
【図８】いくつかの実施形態による、ＴＴＩバンドルサイズを動的に決定して用いるための方法を示す図。
【図９】先行技術による、従来のＨＡＲＱシグナリングを示す図。
【図１０】いくつかの実施形態による、ＤＴＸを用いたＨＡＲＱ伝送を実行するための方法を示す図。
【発明を実施するための形態】
【００１８】
ここで説明される特徴は様々な変形及び代替の形式を許容するが、その特定の実施形態が、図面において例を通じて示され、ここで詳細に説明される。しかしながら、図面及びそれに対する詳細な説明は、開示された特定の形式に限定することを意図しておらず、それどころか、添付の特許請求の範囲により定められるような主題の精神及び範囲内の全ての変形物、均等物及び代替物をカバーすることこそが意図されていることが理解されるべきである。
【００１９】
専門用語
以下は、本開示で用いられる用語集である。
【００２０】
メモリ媒体−任意の様々な種類の非一時的メモリ機器又はストレージ機器。用語「メモリ媒体」には、例えば、ＣＤ−ＲＯＭ、フロッピー（登録商標）ディスク、又はテープデバイスである設定媒体、ＤＲＡＭ、ＤＤＲ  ＲＡＭ、ＳＲＡＭ、ＥＤＯ  ＲＡＭ、Ｒａｍｂｕｓ  ＲＡＭなどのコンピュータシステムメモリ又はランダムアクセスメモリ、例えばハードドライブ又は光学記憶装置であるフラッシュ、磁気メディアなどの不揮発性メモリ、レジスタ、又は他の同様の種類のメモリ要素などを含むことが意図されている。メモリ媒体は、同様に他の種類の非一時的メモリ、又はその組み合わせを含みうる。さらに、メモリ媒体は、プログラムが実行される第１のコンピュータシステムに配置されてもよいし、第１のコンピュータシステムにインターネットなどのネットワークを介して接続する第２の異なるコンピュータシステムに配置されてもよい。後の例では、第２のコンピュータシステムは、実行のために、第１のコンピュータにプログラム命令を提供してもよい。用語「メモリ媒体」は、異なる位置に、例えばネットワークを介して接続される異なるコンピュータシステムに、存在し得る２つ以上のメモリ媒体を含みうる。メモリ媒体は、１つ以上のプロセッサによって実行されうる、（例えば、コンピュータプログラムとして具現化される）プログラム命令を記憶し得る。
【００２１】
搬送媒体−電気、電磁又はデジタル信号などの信号を運ぶ、バス、ネットワーク、又は他の物理伝送媒体の少なくともいずれかなどの、上述のようなメモリ媒体、及び、物理伝送媒体。
【００２２】
プログラム可能なハードウェア要素−プログラム可能なインターコネクトを介して接続された複数のプログラム可能な機能ブロックを有する様々なハードウェア機器を含む。例として、ＦＰＧＡ（フィールドプログラマブルゲートアレイ）、ＰＬＤ（プログラマブル論理機器）、ＦＰＯＡ（フィールドプログラマブルオブジェクトアレイ）、およびＣＰＬＤ（コンプレックスＰＬＤ）を含む。プログラム可能な機能ブロックは、きめの細かいもの（連結ロジック又はルックアップテーブル）から、きめの粗いもの（算術論理ユニット又はプロセッサコア）までに及びうる。プログラム可能なハードウェア要素は、「リコンフィギュアラブルロジック」とも呼ばれうる。
【００２３】
コンピュータシステム−パーソナルコンピュータシステム（ＰＣ）、メインフレームコンピュータシステム、ワークステーション、ネットワーク装置、インターネット装置、パーソナルデジタルアシスタント（ＰＤＡ）、テレビジョンシステム、グリッドコンピューティングシステム、又は他の機器又は複数の機器の組み合わせを含む、様々な種類の演算又は処理システムのうちのいずれか。一般に、用語「コンピュータシステム」は、メモリ媒体から命令を実行する少なくとも１つのプロセッサを有する任意の機器（又は複数の機器の組み合わせ）を包含するように、広く定義されうる。
【００２４】
ユーザ端末（ＵＥ）（又は「ＵＥ機器」）−モバイル又はポータブルであり、無線通信を実行する任意の様々な種類のコンピュータシステム機器。ＵＥ機器の例は、携帯電話又はスマートフォン（例えばｉＰｈｏｎｅ（登録商標）、Ａｎｄｒｏｉｄ（登録商標）ベースの電話）、ポータブルゲーム機器（例えば、Ｎｉｎｔｅｎｄｏ  ＤＳ（登録商標）、ＰｌａｙＳｔａｔｉｏｎ  Ｐｏｒｔａｂｌｅ（登録商標）、ゲームボーイアドバンス（登録商標）、ｉＰｈｏｎｅ（登録商標））、ラップトップ、ウェアラブル機器（例えばスマートウォッチ、スマートグラス）、ＰＤＡ、ポータブルインターネット機器、音楽プレイヤ、データストレージ機器、又は他のハンドヘルド機器などを含む。一般に、用語「ＵＥ」又は「ＵＥ機器」は、ユーザによって容易に運ばれ、無線通信することができる、電気、コンピューティング又は電気通信の少なくともいずれかの任意の機器（又は機器の組み合わせ）を包含するように広く定義されうる。
【００２５】
基地局−（「ｅＮＢ」とも呼ばれる）用語「基地局」は、その通常の意味の全てを有し、少なくとも、固定位置に設置され、無線電話システム又は無線システムの一部として通信するのに使用される無線通信局を含む。
【００２６】
処理エレメント−様々なエレメント又は複数のエレメントの組み合わせのことを呼ぶ。処理エレメントは、例えば、ＡＳＩＣ（特定用途向け集積回路）などの回路、個別のプロセッサコアの一部又は回路、プロセッサコアの全体、個別のプロセッサ、フィールドプログラマブルゲートアレイ（ＦＰＧＡ）などのプログラム可能なハードウェア機器、又は複数のプロセッサを含むシステムの大きな部分の少なくともいずれかを含む。
【００２７】
チャネル−センダ（トランスミッタ）からレシーバへ情報を運ぶのに用いられる媒体。様々な無線プロトコルに応じて用語「チャネル」の特徴が異なり得るため、ここで用いられるような用語「チャネル」は、その用語が使用される機器の種類の標準に関して、その標準と調和する方法で使用されていると考えられうることが留意されるべきである。いくつかの標準では、チャネル幅は、（例えば、機器の能力、帯域の状態などに応じて）可変でありうる。例えば、ＬＴＥは、１．４ＭＨｚから２０ＭＨｚまでのスケーラブルなチャネル帯域幅をサポートし得る。これに対して、Ｂｌｕｅｔｏｏｔｈ（登録商標）のチャネルが１ＭＨｚ幅でありうる一方で、ＷＬＡＮのチャネルは、２２ＭＨｚ幅でありうる。他のプロトコル及び標準は、異なる定義のチャネルを含みうる。さらに、いくつかの標準は、例えば、上りリンク又は下りリンクに対する異なるチャネル、又は、データ、制御情報などの異なる使途に対する異なるチャネルの少なくともいずれかなどの、複数の種類のチャネルを定義し使用し得る。
【００２８】
帯域−用語「帯域」は、その通常の意味の全てを有し、少なくとも、チャネルが使用され又は同一の目的のために設けられるスペクトルの区分（例えば無線周波数スペクトル）を含む。
【００２９】
自動的−コンピュータシステム（例えば、コンピュータシステムによって実行されるソフトウェア）又は機器（例えば、回路、プログラム可能なハードウェア要素、ＡＳＩＣなど）によって、動作又は操作を直接特定し又は実行するユーザ入力なしに実行される、当該動作又は操作を指す。したがって、用語「自動的」は、ユーザが操作を直接実行するための入力を供給する、ユーザによって手動で実行され又は特定される操作と対照的である。自動手順はユーザによって供給される入力によって開始されてもよいが、「自動的」に実行されるその後の動作は、そのユーザによって特定されない、すなわち、ユーザが実行すべき各動作を特定する「手動」では実行されない。例えば、コンピュータシステムはユーザ動作に応じてフォームを更新しなければならないが、（例えば情報のタイピング、チェックボックスの選択、無線器選択などにより）各フィールドを選択し情報を特定する入力を供給することにより電子フォームに書き入れるユーザは、手動でそのフォームに書き入れる。そのフォームは、コンピュータシステムによって自動的に書き入れられてもよく、そこでは、そのコンピュータシステム（例えば、コンピュータシステム上で実行するソフトウェア）は、フォームのフィールドを解析し、そのフィールドに対する回答を特定するいかなるユーザ入力もなく、そのフォームを埋める。上記のように、ユーザは、そのフォームの自動記入を起動し得るが、そのフォームの実際の記入には関与しない（例えば、ユーザはフィールドに対する回答を手動で特定せず、それらは自動的に完遂される）。本明細書は、ユーザが取った動作に応じて自動的に実行される様々な動作の例を提供する。
【００３０】
図１−無線通信システム
図１は、いくつかの実施形態による、無線セルラ通信システムを示している。なお、図１は、多くの中の１つの可能性を示しており、本開示の特徴は、要求に応じて、様々なシステムのいずれかにおいて実装されうる。
【００３１】
図のように、例示の無線通信システムは、１つ以上の無線機器１０６Ａ、１０６Ｂなどから１０６Ｎまでと伝送媒体を介して通信する基地局１０２を含む。無線機器は、「ユーザ端末」（ＵＥ）又はＵＥ機器と呼ばれうる、ユーザ機器でありうる。
【００３２】
基地局１０２は、基地局送受信器（ＢＴＳ）又はセルサイトでありえ、ＵＥ機器１０６Ａから１０６Ｎとの無線通信を可能とするハードウェアを含みうる。また、基地局１０２は、ネットワーク１００（例えば、様々な可能性の中でも、セルラサービスプロバイダのコアネットワーク、公衆交換電話網（ＰＳＴＮ）などの電気通信ネットワーク、インターネットの少なくともいずれか）と通信するための設備が整えられうる。このように、基地局１０２は、ＵＥ機器１０６間と、ＵＥ機器１０６とネットワーク１００との間との少なくともいずれかにおける通信を促進しうる。
【００３３】
基地局１０２の通信エリア（又はカバレッジエリア）は、「セル」と呼ばれうる。基地局１０２及びＵＥ１０６は、ＧＳＭ、ＵＭＴＳ（ＷＣＤＭＡ、ＴＤＳ−ＣＤＭＡ）、ＬＴＥ、ＬＴＥ−アドバンスド（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、Ｗｉ−Ｆｉ、ＷｉＭＡＸなどのような、様々な無線アクセス技術（ＲＡＴ）又は無線通信技術のいずれかを用いた伝送媒体を介して通信するように構成されうる。
【００３４】
このように、１つ以上のセルラ通信技術に従って動作する基地局１０２及び同様の基地局（不図示）は、ＵＥ機器１０６Ａ〜Ｎ及び同様の機器に、１つ以上のセルラ通信技術を介して広範な地理的範囲にわたって連続して又はほぼ連続してオーバーラップするサービスを提供しうる、セルのネットワークとして提供されうる。
【００３５】
したがって、基地局１０２は、図１に示されるように、現在、無線機器１０６Ａ〜Ｎのための「サービングセル」を表しているが、各ＵＥ機器１０６は、「隣接セル」と呼ばれうる１つ以上の他のセル（例えば、他の基地局によって提供されるセル）からの信号を受信することも可能でありうる。また、このようなセルは、ユーザ機器間と、ユーザ機器とネットワーク１００との間との少なくともいずれかにおける通信を促進することが可能でありうる。
【００３６】
なお、少なくともいくつかの例において、ＵＥ機器１０６は、複数の無線通信技術を用いて通信することが可能でありうる。例えば、ＵＥ機器１０６は、ＧＳＭ、ＵＭＴＳ、ＣＤＭＡ２０００、ＷｉＭＡＸ、ＬＴＥ、ＬＴＥ−Ａ、ＷＬＡＮ、ブルートゥース、１つ以上のグローバルナビゲーション衛星システム（ＧＮＳＳ、例えばＧＰＳ又はＧＬＯＮＡＳＳ）、１つかそれ以上かの少なくともいずれかの移動体テレビ放送標準（例えば、ＡＴＳＣ−Ｍ／Ｈ又はＤＶＢ−Ｈ）などの２つ以上を用いて通信するように構成されうる。（２つより多くの無線通信技術を含む）無線通信技術の他の組み合わせも可能である。同様に、いくつかの実施形態において、ＵＥ機器１０６は、単一の無線通信技術のみを用いて通信するように構成されうる。
【００３７】
図２は、いくつかの実施形態による、基地局１０２と通信するＵＥ機器１０６（例えば、機器１０６Ａから１０６Ｎのうちの１つ）を図解している。ＵＥ機器１０６は、セルラ通信能力を有することができ、上述のように、携帯電話、ハンドヘルド機器、メディアプレイヤ、コンピュータ、ラップトップ若しくはタブレットなどの機器、又は仮想的に任意の種別の無線機器でありうる。
【００３８】
ＵＥ機器１０６は、メモリに記憶されたプログラム命令を実行するように構成されるプロセッサを含みうる。ＵＥ機器１０６は、このような記憶された命令を実行することにより、ここで説明される方法の実施形態のいずれかを実行しうる。代替的に、又はさらに、ＵＥ機器１０６は、ここで説明される方法の実施形態のいずれか、又は、ここで説明される方法の実施形態のいずれかの任意の部分を実行するように構成されるＦＰＧＡ（フィールドプログラマブルゲートアレイ）などのプログラム可能なハードウェア要素、又は他の回路を含みうる。
【００３９】
いくつかの実施形態において、ＵＥ機器１０６は、複数の無線アクセス技術と無線通信プロトコルとの少なくともいずれかのいずれかを用いて通信するように構成されうる。例えば、ＵＥ機器１０６は、ＧＳＭ、ＵＭＴＳ、ＣＤＭＡ２０００、ＬＴＥ、ＬＴＥ−Ａ、ＷＬＡＮ、Ｗｉ−Ｆｉ、ＷｉＭＡＸ、又はＧＮＳＳの１つ以上を用いて通信するように構成されうる。無線通信技術の他の組み合わせも可能である。
【００４０】
ＵＥ機器１０６は、１つ以上の無線通信プロトコル又は技術を用いて通信するための１つ以上のアンテナを含みうる。いくつかの実施形態において、ＵＥ機器１０６は、単一の共有無線器を用いて通信するように構成されうる。共有無線器は、単一のアンテナに接続されてもよいし、無線通信を実行するための（例えばＭＩＭＯのための）複数のアンテナに接続されてもよい。代わりに、ＵＥ機器１０６は、２つ以上の無線器を含みうる。例えば、ＵＥ１０６は、ＬＴＥ又は１ｘＲＴＴ（若しくはＬＴＥ又はＧＳＭ）のいずれかを用いて通信するための共有無線器、及び、Ｗｉ−Ｆｉ及びブルートゥースのそれぞれを用いて通信するための別個の無線器を含みうる。他の構成も可能である。
【００４１】
図３−ＵＥの例示のブロック図
図３は、いくつかの実施形態による、ＵＥ１０６の１つの可能なブロック図を示す。図に示すように、ＵＥ１０６は、様々な目的のための部分を含みうるシステムオンチップ（ＳＯＣ）３００を、含みうる。例えば、図示のようにＳＯＣ３００は、ＵＥ１０６のためのプログラム命令を実行しうるプロセッサ３０２と、グラフィックス処理を実行しうると共にディスプレイ３４０へディスプレイ信号を供給しうる表示回路３０４と、を含みうる。また、プロセッサ３０２は、プロセッサ３０２からアドレスを受信し、それらのアドレスをメモリ（例えば、メモリ３０６、読み出し専用メモリ（ＲＯＭ）３５０、ＮＡＮＤフラッシュメモリ３１０）における位置に変換するように構成されうる、メモリ管理部（ＭＭＵ）３４０に接続されうる。ＭＭＵ３４０は、メモリ保護及びページテーブル変換又は設定を実行するように構成されうる。いくつかの実施形態において、ＭＭＵ３４０は、プロセッサ３０２の一部として含まれうる。
【００４２】
また、ＵＥ１０６は、表示回路３０４と、無線器３３０と、コネクタＩ／Ｆ３２０とディスプレイ３４０との少なくともいずれかなどの、他の回路又は機器を含みうる。
【００４３】
いくつかの実施形態において、ＲＯＭ３５０は、ブートアップ又は初期化の間にプロセッサ３０２によって実行されうるブートローダを含みうる。また図示されているように、ＳＯＣ３００は、ＵＥ１０６の様々な他の回路に接続されうる。例えば、ＵＥ１０６は、（例えば、ＮＡＮＤフラッシュ３１０を含む）様々な種別のメモリ、（例えば、コンピュータシステムに接続するための）コネクタインタフェース３２０、ディスプレイ３４０、及び（例えば、ＬＴＥ、ＣＤＭＡ２０００、ブルートゥース、ＷｉＦｉ、ＧＰＳなどを用いて通信するための）無線通信回路を含みうる。
【００４４】
ＵＥ機器１０６は、基地局と他の機器との少なくともいずれかとの無線通信を実行するための、少なくとも１つのアンテナ、及びいくつかの実施形態において複数のアンテナを含みうる。例えば、ＵＥ機器１０６は、無線通信を実行するためにアンテナ３３５を用いうる。上述のように、ＵＥは、いくつかの実施形態において、複数の無線通信標準を用いて無線で通信するように構成されうる。
【００４５】
ここで説明されるように、ＵＥ１０６は、本開示の実施形態による改良されたページングに応答する方法を実行するための、ハードウェア及びソフトウェア要素を含みうる。
【００４６】
ＵＥ機器１０６のプロセッサ３０２は、例えば、メモリ媒体（例えば、非一時的コンピュータ可読メモリ媒体）に記憶されたプログラム命令を実行することにより、ここで説明される方法の一部または全部を実行するように構成されうる。他の実施形態において、プロセッサ３０２は、ＦＰＧＡ（フィールドプログラマブルゲートアレイ）又はＡＳＩＣ（特定用途向け集積回路）などのプログラム可能なハードウェア要素として構成されうる。
【００４７】
図４−基地局
図４は、いくつかの実施形態による基地局１０２を示している。なお、図４の基地局は可能な基地局の１つの例である。図に示すように、基地局１０２は、基地局１０２のためのプログラム命令を実行しうるプロセッサ４０４を含みうる。また、プロセッサ４０４は、プロセッサ４０４からアドレスを受信して、それらのアドレスをメモリ（例えばメモリ４６０及び読み出し専用メモリ（ＲＯＭ）４５０）へ返還するように構成されうるメモリ管理部（ＭＭＵ）４４０、又は他の回路若しくは危機に接続されうる。
【００４８】
基地局１０２は、少なくとも１つのネットワークポート４７０を含みうる。ネットワークポート４７０は、上述のように、電話ネットワークに接続し、ＵＥ機器１０６などの複数の機器に、電話ネットワークへのアクセスを提供するように構成されうる。
【００４９】
さらに、又は代替的に、ネットワークポート４７０（又は追加のネットワークポート）は、セルラネットワーク、例えばセルラサービスプロバイダのコアネットワークに接続するように構成されうる。コアネットワークは、ＵＥ機器１０６などの複数の機器に、移動体関連サービスと他のサービスとの少なくともいずれかを提供しうる。いくつかの場合、ネットワークポート４７０がコアネットワークを介して電話ネットワークに接続しうるか、コアネットワークが（例えば、セルラサービスプロバイダによってサービスを供されている他のＵＥ機器の中で）電話ネットワークを提供しうるか、の少なくともいずれかである。
【００５０】
基地局１０２は、無線器４３０、通信チェーン４３２及び少なくとも１つのアンテナ４３４を含みうる。基地局は無線送受信器として動作するように構成されることができ、さらに、無線器４３０、通信チェーン４３２及び少なくとも１つのアンテナ４３４を介してＵＥ機器１０６と通信するように構成されうる。通信チェーン４３２は、受信チェーン、送信チェーン又は両方でありうる。無線器４３０は、ＧＳＭ、ＵＭＴＳ、ＬＴＥ、ＷＣＤＭＡ、ＣＤＭＡ２０００、ＷｉＭＡＸなどを含むがそれに限定されない様々なＲＡＴを介して通信するように構成されうる。
【００５１】
基地局１０２のプロセッサ４０４は、例えば、メモリ媒体（例えば、非一時的コンピュータ可読メモリ媒体）に記憶されるプログラム命令を実行することにより、ここで説明される方法の一部又は全部を実行するように構成されうる。代わりに、プロセッサ４０４は、ＦＰＧＡ（フィールドプログラマブルゲートアレイ）若しくはＡＳＩＣ（特定用途向け集積回路）又はその組み合わせなどのプログラム可能なハードウェア要素として構成されうる。
【００５２】
ＬＴＥにおけるチャネル
ＬＴＥは、データがＬＴＥ無線インタフェースを通じて転送されうるように、様々なチャネルを用いる。これらのチャネルは、様々な種別のデータを分離して、規則に従う方法で、無線アクセスネットワークを通じてそれらを転送することを可能とするために用いられる。様々なチャネルは、ＬＴＥプロトコル構造内の高次レイヤへ効果的にインタフェースを提供し、データの規則に従うと共に定義された分離を可能とする。
【００５３】
以下のように、ＬＴＥデータチャネルの３つのカテゴリ又は種別が存在する。
【００５４】
物理チャネル：これらは、ユーザデータ及び制御メッセージを運ぶ伝送チャネルである。
【００５５】
トランスポートチャネル：物理層のトランスポートチャネルは、媒体アクセス制御（ＭＡＣ）レイヤ及び高次レイヤへの情報転送を提供する。
【００５６】
論理チャネル：ＬＴＥプロトコル構造内の媒体アクセス制御（ＭＡＣ）レイヤのためのサービスを提供する。
【００５７】
ＬＴＥは、基地局からＵＥへ情報を運ぶための数多くの物理下りリンクチャネルを定義する。ＬＴＥ下りリンクは、物理下りリンク共有チャネル（ＰＤＳＣＨ）及び物理下りリンク制御チャネル（ＰＤＣＣＨ）を含む。ＰＤＳＣＨは、全てのユーザデータ及び全てのシグナリングメッセージを運ぶ下りリンクチャネルである。ＰＤＳＣＨは、動的かつ適時的にユーザに割り当てられる、データを運ぶ主たるチャネルである。ＰＤＣＣＨは、共有チャネルのためのレイヤ１制御を運ぶ。したがって、ＰＤＳＣＨは、ＵＥへ情報を伝達するための主要なチャネルであり、ＰＤＣＣＨは、その情報のためのメタデータ、例えばそのデータが「誰」のためのもので、ＰＤＳＣＨにおいてエアを介して「どのように」そのデータが送られるか、を伝達する。
【００５８】
また、ＬＴＥは、ＵＥから基地局へ情報を運ぶための複数の物理上りリンクチャネルを定義する。ＬＴＥ上りリンクは、物理上りリンク共有チャネル（ＰＵＳＣＨ）及び物理上りリンク制御チャネル（ＰＵＣＣＨ）を含む。ＰＵＳＣＨは、ＰＤＳＣＨに対する、上りリンクのカウンターパートである。ＰＵＣＣＨは、上りリンク通信のための様々な制御シグナリングの要求を提供する。
【００５９】
上述のように、ＬＴＥでは、基地局（ｅＮＢ）がＰＤＣＣＨを用いてＵＬリソースを割り当て、このリソースの割り当ては、ＵＬグラントと呼ばれる。ＵＬグラントは、準持続性スケジューリング（ＳＰＳ）ＵＬグラントなどの、ある種の持続性のＵＬグラントでありうる。持続性の又は準持続性のＵＬグラントは、無線リソース制御（ＲＲＣ）レイヤのシグナリングによって設定されることができ、ＵＥは、ｅＮＢによるＳＰＳを用いて設定され、そして、ｅＮＢは、ＵＥを起動してＳＰＳを用いうる。ＳＰＳなどの持続性の又は準持続性のＵＬグラントは、持続性の周期的なＵＬグラントを可能とする。したがって、ＵＥは、各送信のための新しいＵＬグラントを受信せずに、新しい情報を周期的に送信しうる。代替的に、ＵＬグラントが特定の量の情報のためのものであってもよく、ｅＮＢは、ＵＥからのスケジューリング要求に基づいて追加のＵＬグラントを送ってもよい。
【００６０】
ＴＴＩバンドリング
通常の動作において、伝送ブロックは符号化の後に複数の冗長バージョンに変換され、第１の冗長バージョンはあるサブフレームにおいて送信される。この第１の冗長バージョンが適切に受信されない場合、受信器は、否定応答（ＮＡＣＫ）を返信し、それは、複合自動再送要求（ＨＡＲＱ）、すなわち、新しく、典型的には異なる、冗長バージョンの再送信を引き起こす。ＨＡＲＱ  ＡＣＫ／ＮＡＣＫは、第１の送信の４サブフレーム期間後又はそれ以降に送信される。したがって、通常の動作において、伝送ブロックのその後の送信、すなわち、他の冗長バージョンの続きの送信は、送信された第１の冗長バージョンの不受信（ＮＡＣＫ）に依存する。
【００６１】
ＴＴＩバンドリングは、ＨＡＲＱ  ＡＣＫ／ＮＡＣＫメッセージを待つことなく、連続するサブフレームにおいて伝送ブロックを複数回送信するのに用いられる技術である。ＴＴＩバンドリングでは、複数の冗長バージョンは、ＨＡＲＱ  ＡＣＫ／ＮＡＣＫフィードバックを待つことなく、連続する（隣接する）サブフレームにおいて全て送信されうる。さらに、合成されたＡＣＫ／ＮＡＣＫは、伝送ブロックの伝送の全ての処理の後に、すなわち、連続する冗長バージョンの全てが送信された後に、送信されうる。ＴＴＩバンドリングの１つの動機は、いくつかのハンドセット及びＨＡＲＱ伝送の長いＲＴＴ（ラウンドトリップタイム）の低送信電力である。ＴＴＩバンドリングは、低電力ハンドセットが関与する可能性がある、ＬＴＥを介するＶＯＩＰと同様のアプリケーションのＵＬカバレッジを改善するように設計される。
【００６２】
したがって、ＴＴＩバンドリングは、電力制限されたＵＥからの送信を成功させるために用いられる。ここで説明されるＴＴＩバンドリング処理は、通常、ＵＥが、無線リソース制御（ＲＲＣ）レイヤシグナリングを介して、自身の現在の電力制限に関する情報をｅＮＢへ通知することによりトリガされる。これに対して、従来技術では、ＴＴＩバンドリングは、基地局スケジューラが、ＵＥが、リンクバジェットが制限されており、ＶｏＬＴＥ（ボイスオーバーＬＴＥ）を用いていることを検出した場合に、基地局スケジューラによってトリガされる。なお、ここで説明されるＴＴＩバンドリング処理は、ＶｏＬＴＥアプリケーションに限定されず、他の、非リアルタイムアプリケーションに適用されうる。
【００６３】
例えば、ここで説明されるＴＴＩバンドリング処理は、ＵＥが高い電力で送信することを要求されるセルのエッジにおいて、しかしながらＵＥが制限された電力能力を有する場合に、採用されうる。ｅＮＢがＵＥの制限された電力能力について通知を受けたのちに、ＵＥは、名称ＴＴＩバンドリングを生じさせる、同一のトランスポートブロックの様々な冗長バージョンを連続するサブフレーム又はＴＴＩにおいて基地局へ送信してもよい。これらの複数の連続伝送は、低減されたオーバーヘッドを提供しうる。組み合わされた伝送に対する単一のＨＡＲＱ  ＡＣＫ／ＮＡＣＫが、ＴＴＩバンドルの処理の後にｅＮＢによって生成される。単なる単一の冗長バージョンの伝送に代えてのＴＴＩバンドルの伝送は、トランスポートブロックの誤り率を低減しうる。このアプローチは、通常の（非ＴＴＩバンドリング）アプローチを用いて時間において分離される冗長バージョンの伝送と比して、ＨＡＲＱ処理における遅延を減らすこともできる。
【００６４】
図５は、ＴＴＩバンドリング、すなわち、ＵＬパケットの異なる冗長バージョンの連続的な再送信の例を示している。図のように、ＵＥは、連続してデータの４つの異なる冗長バージョンを送信し、これらは冗長バージョン（ＲＶ）０、３、２及び１である。図のように、ｅＮＢは、４つの再送信の後に、ＡＣＫ／ＮＡＣＫフィードバックを送信する。
【００６５】
しかしながら、背景において述べたように、ピーク電流が制限されている機器は、ＵＬにおいて連続して送信することができず、例えば、低いデューティサイクルでのみ送信することができる。例えば、ピーク電流が制限されている機器は、１０サブフレームのうちの１つの間で、すなわち１０％のデューティサイクルで送信することだけが可能でありうる。したがって、このような機器は、現在のＬＴＥ規格で定められているようなＴＴＩバンドリングを活用することができない。
【００６６】
したがって、このようなピーク電流が制限されたＵＥがＴＴＩバンドリングを活用することを可能とする改善された方法が望まれる。本開示のいくつかの実施形態は、分散ＴＴＩバンドリング技術を検討する。ここで説明される分散ＴＴＩバンドリング技術は、不連続な（又は隣接しない）サブフレームにおける異なる冗長バージョンと、その後、最後に生成される単一のＡＣＫ／ＮＡＣＫを含む。本開示のいくつかの実施形態は、現在の状態に基づいてＴＴＩバンドルサイズの動的決定を伴うＴＴＩバンドリング技術を検討している。ここで説明される動的ＴＴＩバンドリング技術は、現在のＵＬチャネル品質と現在のＵＥの電力状態との少なくともいずれかを示すＵＥから受信された直近のサウンディング参照信号（ＳＲＳ）に基づいて、異なる冗長バージョンの数を動的に決定することを含む。なお、ＴＴＩバンドルの動的決定は、（連続するサブフレームにおいて共にバンドルされ送信される冗長バージョンを伴う）従来のＴＴＩバンドリング、又は（不連続の又は隣接しないサブフレームにおいて送信される冗長バージョンを伴う）ここで説明される分散型ＴＴＩバンドリング技術と共に用いられうる。
【００６７】
図６−分散ＴＴＩバンドリング及び周期的グラント
いくつかの実施形態では、図６に示すように、通信を実行する方法は、ｅＮＢ１０２などの基地局と、ＵＥ１０６などのユーザ端末との間でのシグナリング処理を含みうる（また、本方法は、上述の特徴、要素及び実施形態の任意のサブセットを含みうる。）。本方法は、セルラ通信システムにおける改善された上りリンク通信性能を提供するように実行されうる。
【００６８】
図のように、６２０において、ＵＥは、そのバッファ内に利用可能なデータ（例えば、第１の情報）を有することを判定することができ、通常のＢＳＲ（バッファ状態報告）がトリガされうる。したがって、ＵＥが基地局へ送信するためのデータを有する場合に、ＢＳＲがトリガされる。ここで、ＵＥは、電流のピークが制限されており、したがって、ＵＬにおいて連続的に送信することができないものとする。例えば、ＵＥは、低いデューティサイクルでＵＬ伝送を実行することのみが可能でありうる。低いデューティサイクルの一例は３０％以下である。いくつかの実施形態では、ＵＥは、１０サブフレームのうちの１つのみの間に伝送することができ、すなわち、１つのサブフレームの間送信することができ、その後の９サブフレームの間はサイレントのままとなり、結果として１０％のデューティサイクルとなる。
【００６９】
６２５において、ＵＥは、ＵＬリソースを有していない場合、基地局（ｅＮＢ）へ、ＳＲ（スケジューリング要求）を送信する。ＳＲは、ＴＴＩ（０）などの所定の時刻においてＵＬ伝送を開始することを要求しうる。ＵＥは、ＳＲを基地局へ送信する前に、例えば、ｅＮＢにつながることに応じて、ピーク電流が制限されていること、したがって、低い送信デューティサイクルを有しうることを、ｅＮＢへシグナリングしうる。そして、ｅＮＢは、確実に、ＵＥによって送信されるＳＲとＳＲＳとを揃える。換言すれば、ｅＮＢは、ＵＥのピーク電流が制限されていることを知ったことに応じて、ＵＥがＳＲとＳＲＳの周期を揃えるように動作することを確実にする。代わりに、ＵＥは、１つ以上のサウンディング参照信号（ＳＲＳ）を、６２５において送信されるスケジューリング要求（ＳＲ）と同じサブフレームにおいて送信することを望むことを、ｅＮＢへ明示的にシグナリングしうる。サウンディング参照信号は、ＵＬチャネル品質の指標を基地局へ提供し、さらにタイミング情報を搬送するために、ＵＬにおいて、ＵＥによって基地局へ送信される。このように、６２５において、ＵＥは、同じサブフレームにおいて、同時にＳＲとＳＲＳとを送信しうる。いくつかの実施形態では、ＳＲ及びＳＲＳのデューティサイクル（周期）は、好ましくは、ピーク電流制限によって決まるように、ＵＬ送信のデューティサイクル以下である。
【００７０】
図７において以下に説明するように、６２５においてＳＲを受信したことに応じて、ｅＮＢは、ＳＲＳ情報に少なくとも部分的に基づいて、分散型の送信時間間隔のバンドルサイズを設定しうる。すなわち、バンドルサイズ情報は、ＵＥ及び基地局の間のＵＬチャネルの品質と、ＵＥの電力特性との少なくともいずれかなどの現在の状態に基づいて、ｅＮＢによって動的に決定されうる。なお、ＵＥの電力特性は、ＲＲＣメッセージにおいて、ＵＥによって基地局へ搬送されうる。分散された送信時間間隔（ＴＴＩ）バンドリングの長さは、ｍａｘＨＡＲＱ−Ｔｘパラメータに反映されるように、ＨＡＲＱ再送の最大数に実際に対応しうる。
【００７１】
バンドルサイズは、冗長バージョンの再送の数を特定する。したがって、例えば、各冗長バージョン（ＲＶ）がＳＲＳ情報に基づいて１度に送信されるべきとｅＮＢが決定した場合、バンドルサイズは、４となる。別の例では、ｅＮＢが３つの冗長バージョンのみの送信信号を受信することを望む場合、バンドルサイズは３となる。さらに別の例として、ｅＮＢが８つの冗長バージョンを望むことを決定した場合、４つの冗長バージョンがそれぞれ２度、計８回送信されうる。
【００７２】
さらに、ｅＮＢは、６２５においてＳＲを受信したことに応じて、６３５において、ＵＬグラントを送信しうる。ＵＬグラントは、動的であるか持続性であるかの少なくともいずれかであるＵＬグラントでありうる。いくつかの実施形態では、ＵＬグラントは、ＳＰＳ（準持続性のスケジューリング）ＵＬグラントなどの、準持続性のＵＬグラントでありうる。換言すれば、ｅＮＢから受信される上りリンクグラントは、周期的上りリンクグラントを指定する情報を含みうる。したがって、いくつかの実施形態では、ＵＬグラントの周期は、ＵＥ送信のデューティサイクルとバンドルサイズとに基づきうる。
【００７３】
ＵＬグラント６３５を受信したことに応じて、ＵＥは、ＴＴＩ（０）に対応する時刻ゼロにおいて、ＲＶ０を用いたＵＬ伝送を介して、（例えば第１の情報）を送信しうる。換言すれば、ＵＥは、第１の冗長バージョンを用いてデータを送信しうる。そして、ＵＥは、６４５においてＲＶ２を用いた別のＵＬ伝送を送信する前に、すなわち、ＵＥが異なる冗長バージョンを用いてデータを送信しうる前に、Ｘミリ秒（Ｘｍｓ）の周期だけ待機しうる。そして、ＵＥは、続けて、Ｘｍｓ毎にバンドルの残りの送信を周期的に送信しうる。このように、６５０において、ＲＶ１のＵＬ送信信号は、ＲＶ２を用いたＵＬ伝送のＸｍｓだけ後に、送信されうる。同様に、６５５において、ＲＶ３のＵＬ送信信号は、ＲＶ１を用いたＵＬ伝送のＸｍｓだけ後に送信されうる。
【００７４】
６６０において、ｅＮＢは、確認応答（ＡＣＫ）又は否定応答（ＮＡＣＫ）メッセージを送信しうる。そして、ｅＮＢは、バンドル（分散されたバンドル）のＲＶ送信信号の全てがＵＥによって送信された（そしてｅＮＢによって受信された）後に、単一のＡＣＫ／ＮＡＣＫメッセージのみを送信しうる。これは、ピーク電流が制限されているＵＥのための伝送効率の向上をもたらし得る。いくつかの実施形態では、ＵＥは、ＮＡＣＫを受信したことに応じて、ＵＬ送信信号の再送を実行しなくてもよい。換言すれば、分散されたバンドルのＲＶ送信信号のいずれもがｅＮＢによって適切に受信されず、ｅＮＢが否定応答を送信した場合、ＵＥは、第１の情報を再送しなくてもよい。
【００７５】
さらに、ＳＰＳ  ＵＬグラントなどの６３５におけるＵＬグラントが持続性の又は準持続性のＵＬグラントであった場合、ＵＥは、ＲＶ３を用いた最後のＵＬ送信信号が６５５において送信されたＸｍｓ後に、新たに分散化されたＴＴＩバンドルされたＵＬ送信を介して新しいデータ（例えば第２の情報）の送信を開始しうる。代わりに、６３５におけるＵＬグラントが動的であるが持続性の又は準持続性のＵＬグラントではない場合、ｅＮＢは、最後の再送の少なくともＸ−４ｍｓ後には、すなわち、６５５におけるＲＶ３のＵＬ送信のＸ−４ｍｓの範囲内において、新しいＵＬグラントを送信しうる。ＵＥは、新しいＵＬグラントを受信したことに応じて、６５５でＲＶ３の最後のＵＬ送信信号が送信された少なくともＸｍｓ後に、新たな分散されたＴＴＩバンドルされたＵＬ送信を介して新たなデータの送信を開始しうる。
【００７６】
いくつかの時点において、ＵＥは、ピーク電流が制限されなくなったと判定した場合、新しいＲＲＣメッセージ又は受信ＭＡＣ制御エレメント（ＣＥ）を用いるなど、ｅＮＢへ報告しうる。ＵＥは、その後、ここで説明するように分散ＴＴＩバンドリングの使用を終えることができ、より多くの通常の通信に戻りうる。
【００７７】
図７−分散ＴＴＩバンドリング
図６に関して上述したように、いくつかの実施形態において、方法は、「分散型」ＴＴＩバンドリング（ＴＴＩ−Ｂ）の形式を用いる。いくつかの実施形態による、分散型ＴＴＩバンドリングの一例の実際の形式を図７に示す。ピーク電流と電力との少なくともいずれかが制限されており、連続したサブフレームにおいて送信することができず、したがって図５において上記した従来の先行技術のＴＴＩバンドリングを活用することができないＵＥに対して、ここで説明される（例えば図６において説明され、図７において図解される）分散型ＴＴＩバンドリング手法は、このようなＵＥが従来のＴＴＩバンドリングと同様のメリットを得ることを可能とする。
【００７８】
具体的には、図６を参照して上述したように、ＵＥは、複数の不連続の（したがって分散された）ＵＬのデータ（例えば第１の情報）の冗長バージョン（ＲＶ）送信信号を送信することができ、不連続ＲＶの全てが送信されきるまで、再送のためのＡＣＫ／ＮＡＣＫフィードバックをｅＮＢから受信しない。換言すれば、（図５に示される通常のＴＴＩバンドリングのように）（通常は異なる）冗長バージョンの複数のＵＬ送信信号を連続したサブフレームにおいて送信するのに代えて、ＵＥは、（通常は異なる）冗長バージョンの複数のＵＬ送信信号を、複数の不連続サブフレームにわたって送信しうる。図７に示すように、冗長バージョンの全てが送信された後にのみ、単一のＡＣＫ／ＮＡＣＫがｅＮＢによって生成される。これは、ＵＬにおけるＨＡＲＱタイムラインが乱されることを防ぐことが可能とする。
【００７９】
このように、いくつかの実施形態では、分散されたＴＴＩ−Ｂが、以下のように定められうる：
ＵＥは、異なる冗長バージョン（ＲＶ）を有するＵＬ送信信号を介してデータ（例えばＨＡＲＱプロセス＃０）をＸｍｓごとに送信しうる。ここで、Ｘは再送信の周期である。したがって、図７に示すように、冗長バージョン（ＲＶ）０を用いてエンコードされたＨＡＲＱプロセス＃０は、ＵＥによって、ＴＴＩ＃（例えば時刻）０において送信されうる。そして、ＵＥは、ＲＶ２を用いてエンコードされたＨＡＲＱプロセス＃０を送信する、したがって不連続のサブフレームにおいてＴＴＩ−Ｂの第２の送信信号を送信する前に、Ｘサブフレーム（例えばＴＴＩ周期）だけ待機しうる。ここで、各サブフレームは、１ミリ秒などの時間の単位に対応する。さらに、ＵＥは、ＲＶ３を用いてエンコードされたＨＡＲＱプロセス＃０を送信する前にさらなるＸサブフレーム分だけ待機しうる。同様に、ＵＥは、ＲＶ１を用いてエンコードされたＨＡＲＱプロセス＃０の送信前に、さらなるＸサブフレームだけ待機しうる。したがって、図のように、ＴＴＩ−Ｂは３Ｘサブフレームにわたって分散されうる。さらに、ＵＥは、ＲＶ３を用いてエンコードされたＨＡＲＱプロセス＃０を送信した後に、ｅＮＢからＡＣＫ／ＮＡＣＫを受信しうる。図のように、いくつかの実施形態では、ＵＥは、ＮＡＣＫを受信した後にＨＡＲＱプロセス＃０を再送しなくてもよい。さらに、ＵＥが上述のように動的な又は持続性のＵＬグラントを受信した場合、そのＵＥは、ＨＡＲＱプロセス＃０の最後のＲＶバージョンを送信したＸサブフレーム後に、データ、例えばＨＡＲＱプロセス＃１を送信しうる。
【００８０】
いくつかの実施形態において、Ｘは、ＨＡＲＱのラウンドトリップタイム（ＲＴＴ）でありうる。現在のＬＴＥ規格では、ＨＡＲＱのＲＴＴは８ｍｓであり、各ＴＴＩは１ｍｓである。したがって、ＲＶバージョンは、８ｍｓごと（すなわち、８ＴＴＩ又はサブフレームごと）に送信されうる。いくつかの実施形態では、使用されるＸｍｓは、ピーク電流制限によって化されるデューティサイクルに対応する。例えば、いくつかの実施形態では、Ｘ＝１０ｍｓであり、分散型ＴＴＩ−ＢのＲＶバージョンは、１０ｍｓごと（すなわち、１０ＴＴＩ又はサブフレームごと）に送信されうる。なお、Ｘの他の値も考慮される。１つの例示の実装では、周期Ｘは、とり得る値の中でも、４〜１２ｍｓの間に分布しうる。さらに、周期Ｘは、ＵＥのピーク電流制限に対応してもよい。Ｘが８ｍｓより大きい場合、ＲＴＴが変更されてもよくＸと等しくなる。例えば、Ｘ＝１０ｍｓの場合、ＲＴＴも１０となってもよく、ＨＡＲＱプロセスの数は１０である。
【００８１】
いくつかの実施形態では、バンドルサイズは、ＵＥからｅＮＢへ供給されるＲＲＣ（無線リソース制御）メッセージによって定められるパラメータｍａｘＨＡＲＱ−Ｔｘに対応してもよい。ｍａｘＨＡＲＱ−Ｔｘパラメータは、ｅＮＢが受信するＳＲＳによって示される現在の上りリンクのチャネルの品質と、ＵＥの現在の電力制限とに少なくとも部分的に基づいて決定されうる。したがって、ｅＮＢは、ｅＮＢとＵＥとの間のチャネル状態とＵＥの現在の電力状態とに基づいて、動的にバンドルサイズを調整しうる。この動的バンドルサイズ操作については、図８に関して詳細に説明する。代わりに、バンドルサイズは、固定されていてもよいし、さらに、ＲＡＴによって事前に定められてもよい。例えば、現在のＬＴＥ規格においては、バンドルサイズは４に固定されている。
【００８２】
ｅＮＢは、最後のＵＬのＨＡＲＱ送信の後にのみ、ＡＣＫ／ＮＡＣＫフィードバックを送信しうる。しかしながら、ｍａｘＨＡＲＱ−Ｔｘが最後の送信と共に届いているため、受信されるＮＡＣＫは、通常のＨＡＲＱと同様にＨＡＲＱバッファがフラッシュされるため、ＵＥによって無視されうる。したがって、ＵＥは、図７に示すように、続けて、（例えば、ＴＴＩ＃４Ｘ−１において送信されるＨＡＲＱプロセス＃１から始める）第２の分散されたＴＴＩ−Ｂを送信しうる。
【００８３】
図８−動的ＴＴＩバンドリング
上で触れたように、いくつかの実施形態では、本方法は、「動的」ＴＴＩバンドリング（ＴＴＩ−Ｂ）の形式を使用する。ここで説明する動的ＴＴＩバンドリング手法は、ＵＥとｅＮＢとの間のより効率的な通信を可能とし、それにより、ＴＴＩバンドリング（通常の又は分散型のＴＴＩバンドリング）において用いられるバンドルサイズを、効果的に、現在の環境状態に「合わせる」ことができる。例えば、ＴＴＩバンドルサイズを、現在の上りリンクのチャネルの品質と、現在のＵＥの電力特性と、他のファクタとの少なくともいずれかのうちの１つ以上に合わせることができる。
【００８４】
このように、いくつかの実施形態において、通信を実行するための方法は、図８に示される、ｅＮＢ１０２などの基地局とＵＥ１０６などのユーザ端末との間のシグナリング処理を含みうる。（また、本方法は、上述の特徴、要素及び実施形態のいずれかのサブセットを含みうる。）さらに、図８の方法の一部又は全部は、ここで説明される他の方法を用いて実行されうる。本方法は、セルラ通信システムにおける上りリンク通信性能を改善するために実行されうる。
【００８５】
８２５において、ＵＥは、無線リソース制御（ＲＲＣ）メッセージを介して自身のピーク電流と電力との少なくともいずれかが制限されていることをｅＮＢへシグナリングしうる。それに応じてｅＮＢは、スケジューリング要求（ＳＲ）とサウンディング参照信号（ＳＲＳ）とが、揃えられて、同じサブフレームにおいてＵＥから送信されるように設定しうる。さらに、ｅＮＢは、ＳＲ及びＳＲＳのデューティサイクルを、ＵＥのデューティサイクル以下となるように設定しうる。
【００８６】
８３０において、ＳＲ及びＳＲＳがＵＥからｅＮＢへ送信されうる。これに応じて、ｅＮＢは、ｅＮＢとＵＥとの間のチャネル品質の指標であるＳＲＳに少なくとも部分的に基づいて、ＴＴＩバンドルサイズを決定しうる。したがって、例えば、ｅＮＢは、受信したＳＲＳに基づいて、ＴＴＩバンドルサイズが３であることがＵＥからのデータの受信を確実にするのに必要でありうることを決定しうる。別の例として、ｅＮＢは、受信したＳＲＳに基づいて、ＴＴＩバンドルサイズが８であることがＵＥからのデータの受信を確実にするのに必要でありうることを決定しうる。さらに（又は代わりに）、ｅＮＢは、受信ＲＲＣメッセージから得られる現在のＵＥの電力特性に少なくとも部分的に基づいて、バンドルサイズを決定してもよい。
【００８７】
８３５において、ｅＮＢは、ＴＴＩバンドルサイズをＵＥへ送信する。ｅＮＢは、他の形式の通信が用いられてもよいが、ｍａｘＨＡＲＱ−Ｔｘパラメータの形式で、ＵＥにＴＴＩバンドルサイズを送信してもよい。
【００８８】
それに応じて、ＵＥは、ＴＴＩバンドリング（ＴＴＩ−Ｂ）を用いたＵＬ伝送を開始する。換言すれば、ＵＥは、データ（例えば第１の情報）の冗長バージョン（ＲＶ）のバンドルをｅＮＢへ送信する。なお、ＵＥのピーク電流と電力との少なくともいずれかの制約に応じて、ＵＥは、ＵＬ伝送を実行する際に、上述の分散型のＴＴＩ−Ｂと通常のＴＴＩ−Ｂとの少なくともいずれかを採用しうる。したがって、ＵＥは、ＲＶのバンドルを、不連続なサブフレームにおいて送信しうる。代わりに、動的に決定されたＴＴＩバンドルサイズが、上述の従来のＴＴＩバンドリングと共に用いられてもよい。このように、ＵＥは、連続したサブフレームか不連続のサブフレームにおいて、ＲＶのバンドルを送信しうる。
【００８９】
さらなる実施形態−周期的グラント又は制約されたスケジューリング
上で述べたように、ＵＬ伝送は、複数の（例えば動的な又は持続性の／準持続性の）ＵＬグラントを必要とし得る。例えば、ＵＬ伝送が１０００バイトのデータの送信を要求する場合、ＵＥが十分な電力を有さないかもしれず、チャネル状態が全てのデータを１つの伝送において送信するのに適していないかもしれず、又はその両方であるかもしれない。したがって、送信信号は、２００バイト又は１００バイトなどのより小さいセグメントに分割され、上述の動的な又は持続性の／準持続性のＵＬグラントなどの周期的なＵＬグラントを要求しうる。このように、いくつかの実施形態では、グラントの周期は、特定のバンドルサイズ又は動的にバンドルサイズを決める場合にはｅＮＢによって決定されたバンドルサイズ及びＵＬのＨＡＲＱ伝送の間の間隔と等しくてもよい。したがって、例えば、バンドルの数が４で、ＲＴＴが８ｍｓである場合、グラント周期は３２ｍｓである。換言すれば、グラントの周期は、バンドルサイズとＵＥのデューティサイクルとの関数でありうる。
【００９０】
なお、いくつかの実施形態では、周期的ＵＬグラントは、ＰＤＣＣＨのＳＰＳリリースコマンドを通じて、ＳＰＳグラントと同様にリリースされうる。さらに、周期的ＵＬグラントは、セル無線ネットワーク一時識別子（Ｃ−ＲＮＴＩ）ＰＤＣＣＨコマンドによって上書きされてもよい。さらに、ＬＴＥのＵＬにおけるＳＰＳのための黙示的リリースと同様に、ＵＥは、ゼロＭＡＣサービスデータユニット（ＳＤＵ）と共に１つの媒体アクセス制御（ＭＡＣ）プロトコルデータユニット（ＰＤＵ）を送信する場合、データのＵＬ伝送が完了したことを暗示してもよく、周期的グラントが無効化されうる。
【００９１】
代わりに、又は加えて、バースト（すなわち高レベルの）トラフィックに対して、ｅＮＢは、ＵＥがピーク電流制限を有していることを（例えば上で説明したようなＲＲＣメッセージ交換を通じて）検出した場合、制約されたスケジュールを有してもよく、すなわち、ピーク電流制限を解決するのに必要なデューティサイクルに対応する（上で定めたような）少なくともＸサブフレームで分離されたＵＬグラントを提供する。なお、ＵＥは、必要なデューティサイクルをｅＮＢへ通知しうる。
【００９２】
ＨＡＲＱ伝送
図９に示されるような通常の（先行技術の）ＨＡＲＱ伝送手法では、ＵＥは、９２５に示されるような上りリンク（ＵＬ）グラントなどの、ＵＬグラントを受信しうる。そして、９３０において、ＵＥは、物理上りリンク共有チャネル（ＰＵＳＣＨ）で、ｅＮＢ（基地局）へ、第１の冗長バージョン（ＲＶ０）を用いてデータを送信しうる。なお、９３０における送信は、９２５におけるＵＬグラントの受信の４サブフレーム後に生じる。ＵＥとｅＮＢとの間のその後のシグナリングは、ＬＴＥにおける同期ＵＬ  ＨＡＲＱの場合のように、図９に示されるように、４サブフレームごとに生じる。
【００９３】
したがって、９３５において、ｅＮＢは、物理ＨＡＲＱインジケータチャネル（ＰＨＩＣＨ）においてＮＡＣＫ（否定応答）を送信してもよく、それに応じて、ＵＥは、９４０において、ＰＵＳＣＨで、別の冗長バージョン（ＲＶ１）を用いてデータを送信しうる。
【００９４】
９４５において、ｅＮＢは、別のＮＡＣＫを送信することができ、それに応じて、ＵＥは、９５０において、第３の冗長バージョン（ＲＶ２）を用いてデータを送信しうる。図９に示すような、この送信は、９５５において、ｅＮＢからＡＫＣ（肯定応答）を得る結果となりうる。したがって、９６０において、ｅＮＢは、ＵＥが新しいデータを送信してもよいことを示す新しいＵＬグラントを、ＵＥに対して送信しうる。
【００９５】
なお、送信のためのＵＬタイムラインを維持する、すなわち、乱さないために、ＵＥは、４サブフレームごと（例えば、現在のＬＴＥ規格によれば４ｍｓごと）に、信号を送信し又は受信する。換言すれば、ＨＡＲＱ伝送のラウンドトリップタイム（ＲＴＴ）は、８サブフレーム（例えば、ＬＴＥ規格によれば８ｍｓ）である。しかしながら、背景において述べたように、ピーク電流が制限されている機器は、ＵＬにおいて連続的に送信することができず、例えば低いデューティサイクルでのみ送信することができる。例えば、ピーク電流が制限されている機器は、１０個のサブフレームのうち１つの間に、すなわち１０％のデューティサイクルで、送信することのみが可能でありうる。したがって、このような機器は、現在のＬＴＥ規格のＵＬタイムラインを持することができない。
【００９６】
したがって、現在の規格に与える影響を最小限にしながら、このようなピーク電流が制限されたＵＥがＵＬタイムラインを維持する、又は少なくとも乱さないことを可能とする改善された方法が望まれる。したがって、本開示のいくつかの実施形態は、ＨＡＲＱ伝送が不連続送信（ＤＴＸ）と揃えられ、又は交互配置されうる技術を検討する。この技術は、ピーク電流制限されたＵＥが、現在の標準によって定められているようなＵＬタイムラインを乱さないようことを可能とし得る。
【００９７】
図１０−ＨＡＲＱ再送の変更
いくつかの実施形態では、通信を実行する方法は、図１０に示すように、ｅＮＢ１０２などの基地局と、ＵＥ１０６などのユーザ端末との間のシグナリング処理を含みうる。（また、本方法は、上述の特徴、要素及び実施形態を含みうる。）また、図１０の方法の一部または全部は、ここで説明される方法のいずれかと共に用いられうる。本方法は、セルラ通信システムにおける上りリンク通信性能を改善するために実行されうる。
【００９８】
１０２５において、ＵＥは、ｅＮＢからのＵＬグラントを受信しうる。ＵＬグラントは、上述のような動的な又は持続性のＵＬグラントでありうる。それに応じて、ＵＥは、１０３０において、ＰＵＳＣＨで、第１の冗長バージョン（ＲＶ０）を用いてデータ（例えば第１の情報）をｅＮＢへ送信しうる。それに応じて、そして、ＨＡＲＱタイムラインに従って、１０３５において、ｅＮＢは、ＵＥが送信した４サブフレーム後に、ＰＨＩＣＨでＮＡＣＫ（否定応答）を送信しうる。
【００９９】
１０４０において、ＵＥは、不連続送信（ＤＴＸ）サイクルに入っている。したがって、図９において上述したような通常のＨＡＲＱとは異なり、ＵＥは、１０４０において送信を行わない。なお、用語「ＤＴＸ」は、「不連続送信」のことを指し、ＵＥがサイレントであり特定の時間または間隔の間送信を行わない低電力モードのことを指す。ＤＴＸは、ＵＭＴＳ、ＬＴＥ（ロングタームエボリューション）、ＷｉＭＡＸなどの、いくつかの無線標準において存在する。用語「ＤＴＸ」は、その通常の意味の全範囲、及び将来の標準における同様の種類のモードを少なくとも含むことを明に意図している。
【０１００】
１０４５において、ｅＮＢは、ＰＨＩＣＨで別のＮＡＣＫを送信しうる。それに応じて、ＵＥは、１０５０において、別の冗長バージョン（ＲＶ１）を用いてデータを送信しうる。なお、ｅＮＢのための送信の間隔は、４サブフレームのままであり、ｅＮＢは、標準のタイムラインと同様の、８サブフレームのＲＴＴを維持する。しかしながら、ＵＥがＵＬのＰＵＳＣＨ伝送とＤＴＸとを繰り返し得るため、ＵＥのための２つのＵＬ伝送の間隔は、図９で上述したＵＬタイムラインを乱すことなく、図１０に示すように１６サブフレームに拡大されうる。
【０１０１】
なお、上述のように、ＵＥは、ＲＲＣメッセージを介してＵＥが電力制限されていることをｅＮＢへ通知しうる。さらに、ＵＥは、ＨＡＲＱ送信の間のＤＴＸサイクルの数を示し得る。このように、いくつかの実施形態では、ｅＮＢは、ＨＡＲＱ伝送間のＤＴＸサイクルの数と標準のＲＴＴとに基づいてパラメータｍａｘＨＡＲＱ−Ｔｘを決定しうる。例えば、現在のＬＴＥ規格では、ＲＴＴは８ｍｓ（８サブフレーム）に定められている。したがって、ＵＥがＤＴＸにおいて１つのＨＡＲＱ送信を費やす場合、ｅＮＢは、ｍａｘＨＡＲＱ−Ｔｘの初期値にＨＡＲＱ伝送の数を乗じることによって、ｍａｘＨＡＲＱ−Ｔｘを決定することができ、ＵＥは、２つのＵＬ伝送の間に１を加えた間、ＤＴＸに入る。したがって、図１０に示すように、ｍａｘＨＡＲＱ−Ｔｘは８となり（初期ｍａｘＨＡＲＱ−Ｔｘが４であることを知っている）、デューティサイクルがＨＡＲＱ伝送の数として決定され、ＵＥは、２つのＵＬ伝送の間の２つのＵＬ伝送の間に１を加えたものの８倍であって、１６ｍｓに等しい間、ＤＴＸに入る。別の例として、ＵＥがＤＴＸにおいて２つのＨＡＲＱ伝送を費やす場合ｍａｘＨＡＲＱ−Ｔｘは１２であり、デューティサイクルは２４ｍｓとなる。なお、ＤＴＸにおいて費やされる１つ又は２つのＨＡＲＱ送信は単なる例であり、ＵＥは、上述の技術に従って、ＤＴＸにおいて任意の様々な数のＨＡＲＱ送信を費やし得る。
【０１０２】
１０５５において、ｅＮＢは、ＰＨＩＣＨで別のＮＡＣＫを送信することができ、ＵＥは、１０６０におけるＵＬ  ＰＵＳＣＨにおいてＤＴＸでありうる。したがって、ｅＮＢは、１０６５において、ＰＨＩＣＨにおいて別のＮＡＣＫを送信してもよく、それに応じて、ＵＥは、１０７０において、ＵＥの最後の送信の１６サブフレーム後に、別の冗長バージョン（ＲＶ２）を用いてデータを送信しうる。最後に、ｅＮＢは、１０７５においてＰＨＩＣＨでＡＣＫを送信しうる。
【０１０３】
さらなる実施形態
いくつかの実施形態において、セルラ通信システムにおける改善された通信性能を提供するための方法は、ユーザ端末機器（ＵＥ）が、上りリンクのリソースを要求するための基地局へのスケジューリング要求の送信と、基地局からの上りリンクグラントの受信とを実行することを含みうる。さらに、ＵＥは、基地局への第１の情報の複数の冗長バージョンの送信を実行しうる。複数の冗長バージョンは、Ｘミリ秒（ｍｓ）の周期を有する不連続サブフレームで送信されうる。さらに、ＵＥは、基地局への第１の情報の複数の冗長バージョンの送信の後に、基地局からの、単一の確認応答／否定応答（ＡＣＫ／ＮＡＣＫ）の受信を実行しうる。
【０１０４】
いくつかの実施形態では、Ｘｍｓの値は、複合自動再送要求（ＨＡＲＱ）のラウンドトリップタイム、又は、ＵＥのピーク電流の制限に対応する値のいずれかでありうる。さらに、ＵＥは、基地局からのバンドルサイズ情報の受信を実行しうる。バンドルサイズ情報は、基地局へ送信される第１の情報の複数の冗長バージョンの数を決定する際にＵＥによって用いられうる。さらに、バンドルサイズ情報は、ＵＥと基地局との間の上りリンクチャネルと、ＵＥの電力特性とに基づいて、基地局によって動的に決定されうる。
【０１０５】
いくつかの実施形態では、ＵＥが基地局からの上りリンクグラントの受信を実行することは、周期的上りリンクグラントを指定する情報を受信することを含みうる。このような実施形態では、上りリンクグラントの周期は、バンドルサイズとＸｍｓとに基づいてもよく、バンドルサイズは基地局へ送信される第１の情報の複数の冗長バージョンの数を特定しうる。さらに、Ｘｍｓは、第１の情報の複数の冗長バージョンの送信の周期でありうる。
【０１０６】
さらに、いくつかの実施形態では、ＵＥは、サービス要求と同じサブフレームにおいて、揃えて、サウンディング参照信号の送信をも実行しうる。このような実施形態では、サービス要求とサウンディング参照信号とのデューティサイクルは、当該送信のデューティサイクル以下でありうる。
【０１０７】
いくつかの実施形態において、ユーザ端末機器（ＵＥ）は、少なくとも１つのアンテナと、少なくとも１つの無線器と、少なくとも１つの無線器に接続される１つ以上のプロセッサを含みうる。少なくとも１つの無線器は、少なくとも１つの無線アクセス技術（ＲＡＴ）を用いてセルラ通信を実行するように構成されうる。さらに、１つ以上のプロセッサと少なくとも１つの無線器は、音声とデータとの少なくともいずれかの通信を実行するように構成されうる。さらに、１つ以上のプロセッサと少なくとも１つの無線器は、基地局から上りリンクグラントを受信し、基地局からバンドルサイズ情報を受信するように構成されうる。バンドルサイズ情報は、ＵＥと基地局との間の上りリンクチャネルの品質と、ＵＥの電力特性との少なくともいずれかに基づいて、基地局によって動的に決定されうる。さらに、１つ以上のプロセッサと少なくとも１つの無線器は、基地局へ第１の情報の冗長バージョンのバンドルを送信し、第１の情報の複数の異なる冗長バージョンを基地局への当該送信の後に、基地局から単一の確認応答／否定応答（ＡＣＫ／ＮＡＣＫ）を受信するように構成されうる。冗長バージョンのバンドルは、連続したサブフレームにおいて送信されてもよいし、冗長バージョンの数はバンドルサイズ情報に基づきうる。
【０１０８】
いくつかの実施形態では、基地局は、無線機器との無線通信を実行するように構成されることができ、無線器と、無線器と動作可能に接続される処理要素とを含みうる。無線器及び処理要素は、無線機器と基地局との間の通信に用いられる上りリンクチャネルの品質を示す無線機器からの情報と、ＵＥの電力特性を示す無線機器からの情報とを受信するように構成されうる。さらに、無線器及び処理要素は、上りリンクのチャネルの品質を示す情報とＵＥの電力特性を示す情報とに基づいてＴＴＩバンドリングのためのバンドルサイズを動的に決定し、そのバンドルサイズを無線機器へ送信するように構成されうる。バンドルサイズは、ＴＴＩバンドリングを用いた上りリンク伝送のために、無線機器によって用いられうる。
【０１０９】
いくつかの実施形態では、ＵＥの電力特性を示す情報は、無線機器のピーク電流制限を示してもよく、無線機器の無線リソース制御（ＲＲＣ）メッセージにおいて受信されうる。さらに、上りリンクのチャネルの品質を示す情報は、無線機器からの、基地局によって受信されるサウンディング参照信号でありうる。
【０１１０】
いくつかの実施形態では、基地局は、無線機器との無線通信を実行するように構成されることができ、無線器と、無線器に動作可能に接続された処理要素とを含みうる。無線器及び処理要素は、上りリンクのリソースを要求する無線機器からのサービス要求を受信し、無線機器へ準持続性のグラントを提供するように構成されうる。準持続性のグラントは、周期値Ｘ及びバンドルサイズに基づく、ＵＥへの周期的グラントを含みうる。周期値Ｘは、不連続な上りリンクのサブフレームにおいて基地局によって受信される、無線機器からの複数の冗長バージョンのための周期を特定することができ、バンドルサイズは、基地局によって受信される、無線機器からの第１の情報の複数の冗長バージョンの数を特定しうる。
【０１１１】
いくつかの実施形態では、基地局は、無線機器との無線通信を実行するように構成されることができ、無線器と、無線器に動作可能に接続された処理要素とを含みうる。ここで、無線器及び処理要素は、無線機器からの、無線機器の電力特性を示す情報を受信し、その情報からｍａｘＨＡＲＱ−Ｔｘパラメータを動的に決定するように構成されうる。ｍａｘＨＡＲＱ−Ｔｘパラメータは、無線機器と基地局との間の通信で使用されるＨＡＲＱ処理の最大数を示し得る。
【０１１２】
いくつかの実施形態では、ユーザ端末機器（ＵＥ）は、少なくとも１つのアンテナ、少なくとも１つの無線アクセス技術（ＲＡＴ）を用いてセルラ通信を実行するように構成された少なくとも１つの無線器、及び少なくとも１つの無線器に接続された１つ以上のプロセッサを含みうる。１つ以上のプロセッサと少なくとも１つの無線器は、音声とデータとの少なくともいずれかの通信を実行し、基地局から上りリンクグラントを受信するように構成されうる。さらに、１つ以上のプロセッサと少なくとも１つの無線器は、基地局へ第１の情報の第１の冗長バージョンを送信し、第１の情報の第１の冗長バージョンの送信後に低電力状態に移行し、第１の冗長バージョンの送信後に基地局から第１の否定応答（ＮＡＣＫ）を受信するように構成されうる。低電力状態は、ＵＥを、特定の時間間隔の間送信を行わないように設定しうる。さらに、１つ以上のプロセッサと少なくとも１つの無線器は、基地局から第２のＮＡＣＫを受信し、低電力状態を脱し、第２のＮＡＣＫを受信したことに応答して、第１の情報の第２の冗長バージョンを基地局へ送信し、第１の情報の第２の冗長バージョンの送信後に低電力状態に再度移行するように構成されうる。
【０１１３】
いくつかの実施形態では、特定の時間間隔は、ＵＥのデューティサイクルに対応してもよく、そのデューティサイクルは、ＵＥが低電力状態を維持すると上りリンク伝送の数と、複合自動再送要求（ＨＡＲＱ）のラウンドトリップタイムと、に基づきうる。さらに、低電力状態は、不連続送信（ＤＴＸ）サイクルでありうる。
【０１１４】
本開示の実施形態は、様々な形式のいずれかにおいて実現されうる。例えば、いくつかの実施形態は、コンピュータ実装される方法、コンピュータ可読メモリ媒体、又はコンピュータシステムとして実現されうる。他の実施形態は、ＡＳＩＣなどの１つ以上のカスタムデザインされたハードウェア機器を用いて実現されうる。さらにほかの実施形態は、ＦＰＧＡなどの１つ以上のプログラム可能なハードウェア要素を用いて実現されうる。
【０１１５】
いくつかの実施形態では、非一時的コンピュータ可読メモリ媒体が、プログラム命令とデータとの少なくともいずれかを記憶するように構成されてもよく、このとき、プログラム命令は、コンピュータシステムによって実行される場合に、そのコンピュータシステムに方法を、例えば、ここで説明される方法実施形態のいずれか若しくはここで説明される方法実施形態の任意の組み合わせ、又は、ここで説明される方法実施形態のいずれかの任意のサブセット若しくはこのようなサブセットの任意の組み合わせを、実行させる。
【０１１６】
いくつかの実施形態では、機器（例えばＵＥ１０６）は、プロセッサ（又はプロセッサのセット）とメモリ媒体とを含むように構成されてもよく、メモリ媒体はプログラム命令を記憶し、プロセッサはメモリ媒体からプログラム命令を読みだして実行するように構成され、プログラム命令は、方法を、例えばここで説明される様々な方法実施形態のいずれか（若しくはここで説明される方法実施形態の任意の組み合わせ、又は、ここで説明される方法実施形態のいずれかの任意のサブセット若しくはこのようなサブセットの任意の組み合わせ）を実行するために実行可能である。機器は、様々な形式のいずれかで実現されうる。
【０１１７】
上述の実施形態について十分に詳細に説明したが、一度上述の開示が完全に理解されると、当業者には数多くの変形又は変更が明らかとなるだろう。以下の特許請求の範囲は、そのような変形及び変更の全てを含むように解釈されるべきことが意図されている。
【図１】
0006401336.tif 000002
【図２】
0006401336.tif 000003
【図３】
0006401336.tif 000004
【図４】
0006401336.tif 000005
【図５】
0006401336.tif 000006
【図６】
0006401336.tif 000007
【図７】
0006401336.tif 000008
【図８】
0006401336.tif 000009
【図９】
0006401336.tif 000010
【図１０】
0006401336.tif 000011